(57)【要約】【課題】【解決手段】本発明は、水平で横方向に延びた第１のキャリア（１．３）を有する基本揺動システムとして、駆動体（４）により揺動されるふるいボックス（１）と、このふるいボックス（１）に固定され、第１のキャリアに平行に位置され、各々水平で横方向に延びた第２のキャリア（２．３）を有する付加の揺動システム（２）とを具備しているふるい装置に関している。第２のキャリアの各々は、２つの第１のキャリア（１．３）間に配設され、これらに伸縮可能なふるいリニアストリップ（３）により接続されている。２つの続くキャリアの場合、供給側（Ａ）の近くに位置されたキャリアは、排出側（Ｂ）の近くの続くキャリアよりも高く位置されている。このふるい装置は、２つの続くキャリア（１．３，２．３）の重心間の高さの相違が、排出側のセクシュンよりも特定の供給側（Ｂ）のセクションで高くなっているような少なくとも２つのセクションを有している。
2005509519.tif 000002
【特許請求の範囲】
【請求項１】
ほぼ水平に横方向に延びた第１のキャリア（１．３）を備えた基本揺動システムとして、駆動体（４）を使用して揺動されるふるいボックス（１）と、このふるいボックス（１）に取着され、前記第１のキャリアに対してほぼ平行に位置され、各々が２つの第１のキャリア（１．３）間に位置され、これら第１のキャリアに伸縮可能なふるいリニアストリップ（３）により接続され、ほぼ水平に横方向に延びた第２のキャリア（２．３）を有する補助の揺動システム（２）とを具備し、２つの続くキャリアにおいては、供給側（Ａ）に近いほうのキャリアは、排出側（Ｂ）に近いほうのキャリアよりも高くなっているふるい装置において、
２つの続くキャリア（１．３，２．３）の重心間の高さの相違が、排出側のセクシュンよりも特定の供給側（Ｂ）のセクションで高くなっているような少なくとも２つのセクションを有していすることを特徴とするふるい装置。
【請求項２】
前記横方向に延びたキャリア（１．３，２．３）は、円筒面の表面ラインを表していることを特徴とする請求項１のふるい装置。
【請求項３】
前記第２のキャリア（２．３）は、弾性部材によって前記ふるいボックス（１）に取着された２つの受け部（２．４）に接続されていることを特徴とする請求項１もしくは２のふるい装置。
【請求項４】
前記弾性部材は、ばね部材（５ｅ）であることを特徴とする請求項３のふるい装置。
【請求項５】
前記弾性部材は、リーフばね（５ｅ）であることを特徴とする請求項３のふるい装置。
【請求項６】
前記第２のキャリア（２．３）は、２つの受け部（２．４）に接続されて、これら受け部は、前記ふるいボックス（１）と受け部（２．４）とに関節接続により装着されたヒンジ（７ｃ）によって一端部がふるいボックス（１）に装着され、ばね部材（５ｆ）によって他端部が接続されていることを特徴とする請求項１もしくは２のふるい装置。
【請求項７】
前記第２のキャリア（２．３）は、２つの受け部（２．４）に接続されて、これら受け部は、前記ふるいボックス（１）に永久的に接続され、湾曲したガイド部材（８）に移動可能に装着されたスペーサ部材（７ａ）によってふるいボックス（１）に取着され、前記ガイド部材（８）に沿うスペーサ部材（７ａ）の案内が、ばね部材（５ｃ）により支持されていることを特徴とする請求項１もしくは２のふるい装置。
【請求項８】
前記ばね部材（５ｃ）は、前記ガイド部材（８）のところに位置されていることを特徴とする請求項７のふるい装置。
【請求項９】
前記ばね部材（５ｃ）は、前記受け部（２．４）の近くに位置されていることを特徴とする請求項７のふるい装置。
【請求項１０】
前記第２のキャリア（２．３）は、２つの受け部（２．４）に接続されており、これら受け部は、振り子アーム（２．１）によって揺動軸（２．２）に取着されており、この揺動軸は、前記ふるいボックス（１）に固定接続された支持装置（１．４）に装着されていることを特徴とする請求項１もしくは２のふるい装置。
【請求項１１】
前記振り子アーム（２．１）は、ばね部材（５ａ）によってふるいボックス（１）に接続されていることを特徴とする請求項１０のふるい装置。
【請求項１２】
揺動エキサイター（４）として、単一のアンバランスウエイトを有する不均衡駆動体か、互いに対向したアンバランスウエイト（不均衡エキサイター）並びに／もしくは互いに対向したアンバランスモータを有する二重不均衡駆動体か、磁気的揺動駆動体が、前記ふるいボックス（１）に設けられ、並びに／もしくはエキセントリック駆動体が、ふるいボックス（１）とふるい補強体（７）との間に設けられていることを特徴とする請求項１ないし１１のいずれか１のふるい装置。
【発明の詳細な説明】
【技術分野】
【０００１】
本発明は、請求項１の上位概念に係わるふるい装置に関している。
【背景技術】
【０００２】
この種のふるい装置においては、ふるいマットが使用されている。これらマットは、ふるい面全体に渡って場所ごとに、緊張と緩和とが繰り返えされる。これは、例えば、横方向に延びたキャリアを使用して、エキセントリック駆動体により互いに関連して揺動されるように設定された、ふるいボックスのような、２つの移動可能に設置された揺動システムにより、機械的になされる。プラスチックのふるいリニアストリップが、この場合、第１のふるいボックスに一端で接続されており、また、第２のふるいボックスの横方向に延びたキャノアに他端で接続されている。これら２つのふるいボックスの、かくして、特定の横方向に延びたキャリアの互いに異なる方向の揺動、により、プラスチックのふるいリニアストリップは、緊張と緩和を交互に生じる。このようにして、ふるわれる物体は、個々のフラクションに分けられる。このような連続した緊張と緩和とによって、ふるいカバーが自身で繰り返しクリーンになり、ふるい分けが難しい物体でも、良好な分離が可能となる。
【０００３】
しかし、ふるう物体は、揺動によってふるい機の搬送方向の如何なる加速も受けないので、このようなふるい機は、ふるう物体は、重量により搬送されることができるように、比較的大きい傾斜をなして配置されている。
【０００４】
他の既知のふるい機は、横方向に延びたキャリアを備えたふるいボックスを有している。そして、これらキャリアには、横方向に延びたさらなるキャリアを備えた揺動フレームが、弾性的に結合されている。このようなふるい機において、個々のふるいリニアストリップが、ふるいボックスのキャリアに一端で接続され、また、揺動フレームに他端で接続されている。そして、ふるいボックスは、代表的には、不均衡な駆動体の力により駆動されて揺動され、基本揺動システムと称され得る。ふるいボックスの揺動によって、揺動ボックスに弾性的に結合された前記揺動フレームは、揺動システム（マスーばね）の対応したターンで揺動されるようになり、かくして、補助の揺動システムを構成する。ふるいボックスの揺動によって、ふるい分けられる物体は、ふるい機の搬送方向で加速されるようになって、物体は、ふるい機により良好に搬送される。かくして、ふるい機の傾斜された配置が、絶対的に不必要、並びに／もしくは、単に小さい傾斜のみが必要となる。
【０００５】
ふるい長全体にわたってふるい装置に設置されている前記ふるいマットの交互の緊張と緩和とにより、これらマットは、粒子詰まりや、微小の湿ったふるう物体による塊に対して、自身で繰り返しクリーンにする。
【０００６】
バナナふるいが、他の例を示している。これは、ふるい面がふるい長全体に渡って幾つかのセクションに分けられており、これらふるい面のセクションの各々は、ふるい機の中で異なった傾斜をなしている。このような構成は、比較的多い供給量が、粒子サイズに応じて分けられており、カットポイントが供給物の最大の粒子に比較的近いのであれば、好ましく選定される。このようなふるい機の効果は、物体が少なく、また少ない物体が、搬送されて、スクリーン布を通る微小フラクションの通過並びにふるい分けによってふるい分けされるけれども、異なる傾斜、かくしてふるい分けされる物体の異なる搬送速度によって、ふるい機の全長にわたって実質的に同じふるう物体のダンプ高さを維持することができることである。ふるう物体の均一なダンピング高さは、有効なふるい分けに対して非常に効果がある。なぜならば、カットポイント近くの粒子のみが、ふるい機の端部に向かうふるい面上でダンプし、スクリーン布のメッシュを通させる可能性を生じさせないからである。
【発明の開示】
【発明が解決しようとする課題】
【０００７】
本発明の目的は、上記２種のふるい機の効果を組み合わせることである。
【課題を解決するための手段】
【０００８】
これは、不均衡な駆動体により揺動されるようにするふるい機では既に既知の方法で、例えば、ふるい機の揺動により駆動される補助の揺動システムが、設置され、また、このようにして、ふるい機に一端が接続され、揺動システムに他端が接続されたふるいマットが、交互に緊張並びに緩和されることで、果たされる。バナナふるいの効果を付加的に果たすために、ふるい機の揺動により駆動される第２の揺動システムが、請求項１の特徴部分に従って設けられている。全て既知のテンションシャフトふるいにおける平面を常に表すふるい面が、新規なふるい機の湾曲平面として、特に、円筒面のセグメントとして設けられている。かくして、このふるい面は、排出側よりも供給側で傾斜が大きい。これは、既知の好ましいテンションシャフトのふるい動に加えて、バナナふるいの効果も与える。さらに、ふるい面のこのような形状によって、ばね部材を設けることによって、補助の揺動システムを与えることが可能である。このことは、テンションシャフトのふるい効果を非常に簡単に果すふるい機の揺動による振り子のような揺動の形態にもたらされ得る。請求項３ないし１１の特徴部分は、この種形態の揺動システムの有効な実施の形態に関している。
【０００９】
請求項１２は、本発明の目的において効果がある揺動エキサイターの実施の形態に関している。
【発明を実施するための最良の形態】
【００１０】
本発明は、添付の図面に基づいて詳細に以下に説明されるであろう。
【００１１】
図１は、ふるい機の構成を概略的に示している。この場合、ふるい面１．１，１．２と、これらの間に設けられ、ふるい面を互いに接続する横方向に延びたキャリア１．３とを有するふるいボックスが、ばね部材６によって、ブラケットに支持されている。これら部品は、不均衡な駆動体４により揺動されるようになっている。支持装置１．４が、前記ふるいボックス上に設けられ、上端部に振り子状の構造体のための揺動軸２．２（例えば、シャフト）を有している。この振り子状の構造体は、振り子アーム２．３と、横方向に第２の延びたキャリア２．３のための受入部２．４とを有している。この第２の搬送キャリアは、前記ふるいボックス１に対して移動可能であり、窓状の開口１．６を介してふるいボックスを通る。これら横方向に延びたキャリア１．３，２．３は、これらが、軸が前記揺動軸２．２と対応した円筒面の表面ラインとして理解できるように、位置され得る。ストリップ状のふるいマット３が、横方向に延びたキャリア１．３，２．３間でテンションがかけられている。さらに、ばね部材５ａが、ふるいボックス１の基本揺動に対する振り子のような揺動の振幅に影響を与えることができるように、前記ふるいボックス１と、振り子状の構造体２との間に設けられ得る。ふるいボックス１の揺動によって、振り子状の構造体２も、また揺動するように駆動される。デイメンションの適切な選定並びに／もしくはバネ部材の更なる設置によって、振り子状の構造体２の振幅は、影響され得る。このふるい装置は、供給側Ａからふるう物体が充填され、ふるわれなかった物体は、装置を排出側Ｂから排出される。
【００１２】
図２は、本発明の他の実施の形態を示している。この実施の形態において、受け部分２．４は、リーフばね５ｂによりほぼ振り子動で案内される。これら受け部は、互いに調節され、同時に、ふるいボックス１の揺動により駆動される補助の揺動システムのためのばね部材として使用される。
【００１３】
更なる実施の形態が図３に示されている。この場合、受け部２．４は、ガイド部材８によりスペーサ部材７ａを介して案内される。この場合に揺動システムを得るためには、ガイド部材にばね部材５ｃを設けるか、ばね部材を図４に示されているように受け部２．４の近くに位置させる必要がある。
【００１４】
本発明の好ましい実施の形態が、図５に示されている。これは、２つのふるい面１．１，１．２と、ふるい面１．１，１．２を接続するように、これらの間に位置し、横方向に延びたキャリア１．３を備えたふるいボックス１が、ばね部材６によってブラケット上に支持されるように、本質的に構成されている。これら部品は、不均衡エキサイターのような揺動エキサイター４により、揺動されるようになっている。窓状の開口１．６が、ふるいボックス１の２つの側面に形成されており、これらを、横方向に延びた第２のキャリア２．３が、通る。これら横方向に延びた第２のキャリア２．３は、受け部２．４に取着されている。ふるいボックス１の接続している横方向に延びている第１のキャリア１．３と、第２のキャリア２．３とは、例えば、これらが円筒形の表面ラインとして理解され得るようにして配置され得る。これら受け部２．４は、ふるいボックス１に固定されて位置されたばねブラケット１．５上のばね部材５ｅによって、ふるいボックスに接続されている。
【００１５】
他の実施の形態が図６に示されている。この構成において、受け部２．４は、ヒンジロッド７ｃにより案内される。これらヒンジロッドは、ふるいボックス１に一端で関節接続され、また、受け部２．４に他端で関節接続されており、この結果、揺動のための可能性が、振り子揺動の場合にほぼ対応している。さらに、前記受け部２．４は、ばね部材５ｆによってふるいボックス１に固定接続されたコンソール１．５間にクランプ留めされている。
【００１６】
さらに、受け部２．４のふるい面１．１並びに／もしくは１．２の外側（図７に概略的に示されている）、もしくは内側（図８に示されている）への位置付けは、異なる機能に応じてなされる。図９は、図５に対応したふるい機を示しているが、これは、不均衡エキサイター４の変わりに、対向したアンバランスウエイトを備えた二重不均衡駆動体を有する既知の構成のリニアーオシレータ４．１が、揺動エキサイターのように、ふるいボックス１に装着されている。かくして、本発明に係わるふるい装置は、テンションシャフトふるいの効果とバナナふるいの効果とを組合せ、ふるうのに困難であった物体のふるい分けに特に適している。
【図面の簡単な説明】
【００１７】
【図１】基本揺動システムのふるいボックスへの補助の揺動システムの結合の一実施の形態を概略的に示している。
【図２】基本揺動システムのふるいボックスへの補助の揺動システムの結合の異なる実施の形態を概略的に示している。
【図３】基本揺動システムのふるいボックスへの補助の揺動システムの結合の異なる実施の形態を概略的に示している。
【図４】基本揺動システムのふるいボックスへの補助の揺動システムの結合の異なる実施の形態を概略的に示している。
【図５】基本揺動システムのふるいボックスへの補助の揺動システムの結合の異なる実施の形態を概略的に示している。
【図６】基本揺動システムのふるいボックスへの補助の揺動システムの結合の異なる実施の形態を概略的に示している。
【図７】両揺動システムの主要部品の構成を示している。
【図８】両揺動システムの主要部品の異なる構成を示している。
【図１】
2005509519.tif 000003
【図２】
2005509519.tif 000004
【図３】
2005509519.tif 000005
【図４】
2005509519.tif 000006
【図５】
2005509519.tif 000007
【図６】
2005509519.tif 000008
【図７】
2005509519.tif 000009
【図８】
2005509519.tif 000010
【手続補正書】
【提出日】平成15年11月12日(2003.11.12)
【手続補正１】
【補正対象書類名】特許請求の範囲
【補正対象項目名】全文
【補正方法】変更
【補正の内容】
【特許請求の範囲】
【請求項１】
ほぼ水平に横方向に延びた第１のキャリア（１．３）を備えた基本揺動システムとして、駆動体（４）を使用して揺動されるふるいボックス（１）と、このふるいボックス（１）に取着され、前記第１のキャリアに対してほぼ平行に位置され、各々が２つの第１のキャリア（１．３）間に位置され、これら第１のキャリアに伸縮可能なふるいリニアストリップ（３）により接続され、ほぼ水平に横方向に延びた第２のキャリア（２．３）とを有する補助の揺動システム（２）とを具備し、２つの続くキャリアにおいては、供給側（Ａ）に近いほうのキャリアは、排出側（Ｂ）に近いほうのキャリアよりも高くなっており、２つの続くキャリア（１．３，２．３）の重心間の高さの相違が、排出側のセクシュンよりも特定の供給側（Ｂ）のセクションで高くなっているような少なくとも２つのセクションを有しているふるい装置において、
前記第２のキャリア（２．３）は、前記ふるいボックス（１）に設けられた受け部（２．４）によって、これらの端部領域で互いに接続されており、このようにして形成された補助の揺動システムは、揺動軸（２．２）に揺動可能に枢支されていることを特徴とするふるい装置。
【請求項２】
前記受け部（２．４）は、弾性部材によってふるいボックスに装着されていることを特徴とする請求項１のふるい装置。
【請求項３】
前記弾性部材は、ばね部材（５ｅ）であることを特徴とする請求項２のふるい装置。
【請求項４】
前記弾性部材は、リーフばね（５ｅ）であることを特徴とする請求項２のふるい装置。
【請求項５】
前記受け部（２．４）は、前記ふるいボックス（１）に関節接続により装着されたヒンジ（７ｃ）によってふるいボックス（１）に装着され、また、付加のばね部材（５ｆ）が、前記受け部（２．４）をふるいボックス（１）に接続するように設けられ、受け部（２．４）の面上に位置され、受け部の軸方向に実質的に作用することを特徴とする請求項１のふるい装置。
【請求項６】
前記受け部（２．４）は、前記ふるいボックス（１）にスペーサ部材（７ａ）によって装着され、これらスペーサ部材は、ふるいボックス（１）に固定接続された湾曲ガイド部材（８）に移動可能に設けられていることを特徴とする請求項１のふるい装置。
【請求項７】
前記ガイド部材（８）に沿うスペーサ部材（ａ）の案内は、スペーサ部材（７ａ，７ｂ）とふるいボックス（１）との間に作用するばね部材により支持されていることを特徴とする請求項１のふるい装置。
【請求項８】
前記受け部（２．４）は、振り子アーム（２．１）によって揺動軸（２．２）に装着されており、この揺動軸は、ふるいボックスに固定接続された支持装置（１．４）に装着されていることを特徴とする請求項１のふるい装置。
【請求項９】
前記振り子アーム（２．１）は、ばね部材（５ａ）によってふるいボックス（１）に接続されていることを特徴とする請求項８のふるい装置。
【請求項１０】
揺動エキサイター（４）として、単一のアンバランスウエイトを有する不均衡駆動体か、互いに対向したアンバランスウエイト（不均衡エキサイター）並びに／もしくは互いに対向したアンバランスモータを有する二重不均衡駆動体か、磁気的揺動駆動体が、前記ふるいボックス（１）に設けられ、並びに／もしくはエキセントリック駆動体が、ふるいボックス（１）とふるい補強体（７）との間に設けられていることを特徴とする請求項１ないし７のいずれか１のふるい装置。
【手続補正２】
【補正対象書類名】明細書
【補正対象項目名】全文
【補正方法】変更
【補正の内容】
【発明の詳細な説明】
【技術分野】
【０００１】
本発明は、請求項１の上位概念に係わるふるい装置に関している。
【背景技術】
【０００２】
この種のふるい装置においては、ふるいマットが使用されている。これらマットは、ふるい面全体に渡って場所ごとに、緊張と緩和とが繰り返えされる。これは、例えば、横方向に延びたキャリアを使用して、エキセントリック駆動体により互いに関連して揺動されるように設定された、ふるいボックスのような、２つの移動可能に設置された揺動システムにより、機械的になされる。プラスチックのふるいリニアストリップが、この場合、第１のふるいボックスに一端で接続されており、また、第２のふるいボックスの横方向に延びたキャノアに他端で接続されている。これら２つのふるいボックスの、かくして、特定の横方向に延びたキャリアの互いに異なる方向の揺動、により、プラスチックのふるいリニアストリップは、緊張と緩和を交互に生じる。このようにして、ふるわれる物体は、個々のフラクションに分けられる。このような連続した緊張と緩和とによって、ふるいカバーが自身で繰り返しクリーンになり、ふるい分けが難しい物体でも、良好な分離が可能となる。
【０００３】
しかし、ふるう物体は、揺動によってふるい機の搬送方向の如何なる加速も受けないので、このようなふるい機は、ふるう物体は、重量により搬送されることができるように、比較的大きい傾斜をなして配置されている。
【０００４】
他の既知のふるい機は、横方向に延びたキャリアを備えたふるいボックスを有している。そして、これらキャリアには、横方向に延びたさらなるキャリアを備えた揺動フレームが、弾性的に結合されている。このようなふるい機において、個々のふるいリニアストリップが、ふるいボックスのキャリアに一端で接続され、また、揺動フレームに他端で接続されている。そして、ふるいボックスは、代表的には、不均衡な駆動体の力により駆動されて揺動され、基本揺動システムと称され得る。ふるいボックスの揺動によって、揺動ボックスに弾性的に結合された前記揺動フレームは、揺動システム（マスーばね）の対応したターンで揺動されるようになり、かくして、補助の揺動システムを構成する。ふるいボックスの揺動によって、ふるい分けられる物体は、ふるい機の搬送方向で加速されるようになって、物体は、ふるい機により良好に搬送される。かくして、ふるい機の傾斜された配置が、絶対的に不必要、並びに／もしくは、単に小さい傾斜のみが必要となる。
【０００５】
ふるい長全体にわたってふるい装置に設置されている前記ふるいマットの交互の緊張と緩和とにより、これらマットは、粒子詰まりや、微小の湿ったふるう物体による塊に対して、自身で繰り返しクリーンにする。
【０００６】
バナナふるいが、他の例を示している。これは、ふるい面がふるい長全体に渡って幾つかのセクションに分けられており、これらふるい面のセクションの各々は、ふるい機の中で異なった傾斜をなしている。このような構成は、比較的多い供給量が、粒子サイズに応じて分けられており、カットポイントが供給物の最大の粒子に比較的近いのであれば、好ましく選定される。このようなふるい機の効果は、物体が少なく、また少ない物体が、搬送されて、スクリーン布を通る微小フラクションの通過並びにふるい分けによってふるい分けされるけれども、異なる傾斜、かくしてふるい分けされる物体の異なる搬送速度によって、ふるい機の全長にわたって実質的に同じふるう物体のダンプ高さを維持することができることである。ふるう物体の均一なダンピング高さは、有効なふるい分けに対して非常に効果がある。なぜならば、カットポイント近くの粒子のみが、ふるい機の端部に向かうふるい面上でダンプし、スクリーン布のメッシュを通させる可能性を生じさせないからである。
【０００７】
この種ふるい機は、例えば、ＥＰ０１９７１９１，ＥＰ１１４２６５１並びにＷＯ９２／００１４８により知られている。
【発明の開示】
【発明が解決しようとする課題】
【０００８】
本発明の目的は、上記２種のふるい機の効果を組み合わせることである。
【課題を解決するための手段】
【０００９】
これは、不均衡な駆動体により揺動されるようにするふるい機では既に既知の方法で、例えば、ふるい機の揺動により駆動される補助の揺動システムが、設置され、また、このようにして、ふるい機に一端が接続され、揺動システムに他端が接続されたふるいマットが、交互に緊張並びに緩和されることで、果たされる。バナナふるいの効果を付加的に果たすために、ふるい機の揺動により駆動される第２の揺動システムが、請求項１の特徴部分に従って設けられている。全て既知のテンションシャフトふるいにおける平面を常に表すふるい面が、新規なふるい機の湾曲平面として、特に、円筒面のセグメントとして設けられている。かくして、このふるい面は、排出側よりも供給側で傾斜が大きい。これは、既知の好ましいテンションシャフトのふるい動に加えて、バナナふるいの効果も与える。さらに、ふるい面のこのような形状によって、ばね部材を設けることによって、補助の揺動システムを与えることが可能である。このことは、テンションシャフトのふるい効果を非常に簡単に果すふるい機の揺動による振り子のような揺動の形態にもたらされ得る。請求項３ないし１１の特徴部分は、この種形態の揺動システムの有効な実施の形態に関している。
【００１０】
請求項１２は、本発明の目的において効果がある揺動エキサイターの実施の形態に関している。
【発明を実施するための最良の形態】
【００１１】
本発明は、添付の図面に基づいて詳細に以下に説明されるであろう。
【００１２】
図１は、ふるい機の構成を概略的に示している。この場合、ふるい面１．１，１．２と、これらの間に設けられ、ふるい面を互いに接続する横方向に延びたキャリア１．３とを有するふるいボックスが、ばね部材６によって、ブラケットに支持されている。これら部品は、不均衡な駆動体４により揺動されるようになっている。支持装置１．４が、前記ふるいボックス上に設けられ、上端部に振り子状の構造体のための揺動軸２．２（例えば、シャフト）を有している。この振り子状の構造体は、振り子アーム２．３と、横方向に第２の延びたキャリア２．３のための受入部２．４とを有している。この第２の搬送キャリアは、前記ふるいボックス１に対して移動可能であり、窓状の開口１．６を介してふるいボックスを通る。これら横方向に延びたキャリア１．３，２．３は、これらが、軸が前記揺動軸２．２と対応した円筒面の表面ラインとして理解できるように、位置され得る。ストリップ状のふるいマット３が、横方向に延びたキャリア１．３，２．３間でテンションがかけられている。さらに、ばね部材５ａが、ふるいボックス１の基本揺動に対する振り子のような揺動の振幅に影響を与えることができるように、前記ふるいボックス１と、振り子状の構造体２との間に設けられ得る。ふるいボックス１の揺動によって、振り子状の構造体２も、また揺動するように駆動される。デイメンションの適切な選定並びに／もしくはバネ部材の更なる設置によって、振り子状の構造体２の振幅は、影響され得る。このふるい装置は、供給側Ａからふるう物体が充填され、ふるわれなかった物体は、装置を排出側Ｂから排出される。
【００１３】
他の実施の形態が図２に示されている。この場合、受け部分２．４は、スペーサ部材７ａを介してガイド部材８により案内される。この場合の揺動システムを得るために、ばね部材５ｃをガイド部材に設けるか、図４に示されているように、受け部２．４にかこの近くに位置させる必要がある。
【００１４】
さらに、受け部２．４のふるい面１．１並びに／もしくは１．２の外側（図４に概略的に示されている）、もしくは内側（図５に示されている）への位置付けは、異なる機能に応じてなされる。図９は、図５に対応したふるい機を示しているが、これは、不均衡エキサイター４の変わりに、対向したアンバランスウエイトを備えた二重不均衡駆動体を有する既知の構成のリニアーオシレータ４．１が、揺動エキサイターのように、ふるいボックス１に装着されている。かくして、本発明に係わるふるい装置は、テンションシャフトふるいの効果とバナナふるいの効果とを組合せ、ふるうのに困難であった物体のふるい分けに特に適している。
【図面の簡単な説明】
【００１５】
【図１】基本揺動システムのふるいボックスへの補助の揺動システムの結合の一実施の形態を概略的に示している。
【図２】基本揺動システムのふるいボックスへの補助の揺動システムの結合の異なる実施の形態を概略的に示している。
【図３】基本揺動システムのふるいボックスへの補助の揺動システムの結合の異なる実施の形態を概略的に示している。
【図４】両揺動システムの主要部品の構成を示している。
【図５】両揺動システムの主要部品の異なる構成を示している。
【手続補正３】
【補正対象書類名】図面
【補正対象項目名】全図
【補正方法】変更
【補正の内容】
【図１】
2005509519.tif 000011
【図２】
2005509519.tif 000012
【図３】
2005509519.tif 000013
【図４】
2005509519.tif 000014
【図５】
2005509519.tif 000015
【国際調査報告】
2005509519.tif 000016
2005509519.tif 000017
2005509519.tif 000018
2005509519.tif 000019
2005509519.tif 000020